【手続補正書】
【提出日】平成17年9月29日(2005.9.29)
【手続補正１】
【補正対象書類名】明細書
【補正対象項目名】特許請求の範囲
【補正方法】変更
【補正の内容】
【特許請求の範囲】
【請求項１】  表示装置に結合され、複数のビデオセグメントを含むストリームを受信するように構成されたビデオ受信器において、前記ビデオ受信器に対するアクセス可能なローカルの情報に基づき、かつ遠隔で発行された命令に基づいて前記複数のビデオセグメントをターゲティングする前記ビデオ受信器の方法であって、該方法は、
前記ビデオ受信器に関連する状態およびユーザ行動特性をモニターするステップと、
ローカルで前記特性を記憶するステップと、
前記ストリームから複数のビデオセグメントを受信するステップと、
前記ストリームから実行可能な命令を受信するステップであって、該実行可能な命令がプロセッサによって処理される時に、前記ローカルで記憶された前記特性に基づいて前記複数のビデオセグメントの中から１つのビデオセグメントを前記ビデオ受信器に選択させるように、前記実行可能な命令が構成されたステップと、
前記実行可能な命令を処理して、前記ビデオ受信器に前記ビデオセグメントを選択させるステップと、
選択された前記ビデオセグメントを前記表示装置に表示させるステップと
を含むことを特徴とする方法。
【請求項２】  前記実行可能な命令を処理して、前記ビデオ受信器に前記ビデオセグメントを選択させるステップが、前記実行可能な命令を処理して、前記ビデオ受信器に映像広告を選択させるステップを含み、
前記ビデオセグメントを前記表示装置に表示させるステップが、映像広告を前記表示装置に表示させるステップを含むことを特徴とする、請求項１に記載の方法。
【請求項３】  前記ビデオセグメントを前記表示装置に表示させるステップが、前記ビデオセグメントを前記表示装置のウィンドウ内に表示させるステップを含むことを特徴とする、請求項１に記載の方法。
【請求項４】  前記ウィンドウ外にマテリアル（資料）を表示するステップをさらに含むことを特徴とする、請求項３に記載の方法。
【請求項５】  前記ウィンドウ外にマテリアルを表示するステップが、前記ウィンドウ外にテレビ番組を表示するステップを含むことを特徴とする、請求項４に記載の方法。
【請求項６】  前記ウィンドウ外にマテリアルを表示するステップが、前記ウィンドウ外にネットワーク資源を表示するステップを含むことを特徴とする、請求項４に記載の方法。
【請求項７】  前記ウィンドウ外にマテリアルを表示するステップが、前記ウィンドウ外にウェブコンテンツを表示するステップを含むことを特徴とする、請求項４に記載の方法。
【請求項８】  前記表示装置に前記ビデオセグメントが表示されていない時、前記表示装置に静止画を表示させるステップをさらに含むことを特徴とする、請求項１に記載の方法。
【請求項９】  前記ストリームから前記静止画を受信するステップをさらに含むことを特徴とする、請求項８に記載の方法。
【請求項１０】  前記表示装置に前記ビデオセグメントが表示されていない時、前記表示装置の前記ウィンドウ内に静止画を表示させるステップが、前記表示装置に前記ビデオセグメントが表示されていない時、前記表示装置の前記ウィンドウ内にバナー広告を表示させるステップを含むことを特徴とする、請求項８に記載の方法。
【請求項１１】  前記実行可能な命令が第１の実行可能な命令であり、前記方法が、
前記ビデオストリームから第２の実行可能な命令を受信するステップであって、該第２の実行可能な命令がプロセッサによって処理される時、前記ビデオ受信器に、前記ローカルで記憶された特性に基づいて複数の静止画の中から前記静止画を選択させるように前記第２の実行可能な命令が構成されるステップと、
前記第２の実行可能な命令を処理して、前記ビデオ受信器に前記静止画を選択
させるステップと
をさらに含むことを特徴とする、請求項８に記載の方法。
【請求項１２】  前記複数のビデオセグメントが受信されるときそれらをキャッシュするステップをさらに含むことを特徴とする、請求項１に記載の方法。
【請求項１３】  前記ビデオ受信器が、特定のビデオセグメントを表示しないと決定する場合に、該特定のビデオセグメントに関連したキャッシュメモリを解放するステップをさらに備えることを特徴とする、請求項１２に記載の方法。
【請求項１４】  前記ビデオセグメントを前記表示装置に表示させるステップが、
前記ビデオ受信器から前記ビデオセグメントが受信されるにつれて該ビデオセグメントを表示させるステップであって、前記実行可能な命令が、前記ビデオセグメントの表示の開始を、前記ビデオセグメントが前記ビデオ受信器から受信される時間に合わせるトリガを含むステップとを含むことを特徴とする、請求項１に記載の方法。
【請求項１５】  前記ビデオストリームから複数のビデオセグメントを受信するステップが、
複数のビデオストリームから前記複数のビデオセグメントを受信するステップと、
前記実行可能な命令に基づいて前記複数のビデオストリームの間で表示を切り替えるステップと
を含むことを特徴とする、請求項１に記載の方法。
【請求項１６】  前記ビデオストリームが一方向のビデオストリームであることを特徴とする、請求項１に記載の方法。
【請求項１７】  前記ローカルで記憶された特性がチャネル加入者契約の情報を含むことを特徴とする、請求項１に記載の方法。
【請求項１８】  前記ローカルで記憶された特性が、同調されたチャネルの履歴情報を含むことを特徴とする、請求項１に記載の方法。
【請求項１９】  前記ローカルで記憶された情報がペイパービュー購入の履歴情報を含むことを特徴とする、請求項１に記載の方法。
【請求項２０】  前記ペイパービュー購入の履歴情報が最後のペイパービュー購入の識別を含むことを特徴とする、請求項１９に記載の方法。
【請求項２１】  前記ローカルで記憶された情報が、表示された広告の履歴情報を含むことを特徴とする、請求項１に記載の方法。
【請求項２２】  前記表示された広告の履歴情報が、過去に表示された広告の少なくともいくつかを識別する識別子を含むことを特徴とする、請求項２１に記載の方法。
【請求項２３】  前記表示された広告の履歴情報が、対応する広告が最後に表示された時間を含むことを特徴とする、請求項２２に記載の方法。
【請求項２４】  前記ビデオ受信器が、前記特性を該ビデオ受信器の外に漏らすことなくローカルで記憶することを特徴とする、請求項１に記載の方法。
【請求項２５】  表示装置に結合されたビデオ受信器で使用するコンピュータプログラムであって、該ビデオ受信器が複数のビデオセグメントを含むビデオストリームを受信するように構成され、該コンピュータプログラムが、
該ビデオ受信器に対するアクセス可能なローカルの情報に基づき、かつ遠隔で発行された命令に基づいて複数のビデオセグメントをターゲティングする該ビデオ受信器の方法を実施し、
前記ビデオ受信器に関連する状態およびユーザ行動特性をモニターすること、
前記特性がローカルで記憶されるようにすること、
前記ビデオストリームからの複数のビデオセグメントの受信を検出すること、
前記ビデオストリームから受信された命令を処理し、前記実行可能な命令がプロセッサによって処理される時に、前記ローカルに記憶された特性に基づいて前記複数のビデオセグメントから１つのビデオセグメントを前記ビデオ受信器に選択させるように前記命令が構成されること、および、
前記ビデオセグメントを前記表示装置に表示させることを実行するためのコンピュータ実行可能な命令を含み、
前記コンピュータ実行可能な命令がコンピュータ読み取り可能な媒体に記憶されていることを含むことを特徴とする、コンピュータプログラム。
【請求項２６】  前記コンピュータ読み取り可能な媒体が、１つまたは複数の物理記憶媒体であることを特徴とする、請求項２５に記載のコンピュータプログラム。
【請求項２７】  前記コンピュータ読み取り可能な媒体が、
前記ローカルで記憶された特性に基づいて前記複数のビデオセグメントから１つのビデオセグメントを選択することを実行するためのコンピュータ実行可能な命令をさらに記憶していることを特徴とする、請求項２５に記載のコンピュータプログラム。
【手続補正２】
【補正対象書類名】明細書
【補正対象項目名】０００８
【補正方法】変更
【補正の内容】
【０００８】
【特許文献１】米国特許出願第１０／０００，１５０号明細書（代理人受領証番号１４５３１．９６）"Advertising Using a Combination of Video and Banner Advertisements"(映像広告およびバナー広告の組み合わせを使用する広告)